(57)【要約】  試料容器保持機構は、試料容器６を保持するためのものであり、フック部材９及びストッパ部材１０を備える。フック部材９は、試料容器６を鉛直方向に対して傾斜させた状態で吊り下げて保持する。ストッパ部材１０は、フック部材９を中心にして試料容器６が回転したときに、試料容器６の回転を制限する。
2019215912.tif 000002
【特許請求の範囲】
【請求項１】
試料容器を保持するための試料容器保持機構であって、
前記試料容器を鉛直方向に対して傾斜させた状態で吊り下げて保持するフック部材と、
前記フック部材を中心にして前記試料容器が回転したときに、当該試料容器の回転を制限するストッパ部材とを備えることを特徴とする試料容器保持機構。
【請求項２】
前記試料容器から漏れた試料が前記ストッパ部材により受けられることを特徴とする請求項１に記載の試料容器保持機構。
【請求項３】
前記ストッパ部材は、互いに上下に並べて２つ配置されており、
上側の前記ストッパ部材は、当該ストッパ部材に対応する前記試料容器から漏れた試料を受ける第１受け面と、前記第１受け面により受けられた試料を当該第１受け面から離れる方向に導く第１傾斜面と、前記第１傾斜面上を流れる試料を落下させる第１排液口とを有し、
下側の前記ストッパ部材は、当該ストッパ部材に対応する前記試料容器から漏れた試料を受ける第２受け面と、前記第１排液口から落下する試料を受けて前記第２受け面側に導く第２傾斜面と、前記第２受け面上及び前記第２傾斜面上を流れる試料を排液する第２排液口とを有することを特徴とする請求項２に記載の試料容器保持機構。
【請求項４】
前記ストッパ部材には、前記試料容器に接続される配管を固定するための切欠きが形成されていることを特徴とする請求項１に記載の試料容器保持機構。
【請求項５】
前記ストッパ部材には、前記試料容器に対向する位置に、当該試料容器内を視認するための開口が形成されていることを特徴とする請求項１に記載の試料容器保持機構。
【発明の詳細な説明】
【技術分野】
【０００１】
本発明は、試料容器を保持するための試料容器保持機構に関するものである。
【背景技術】
【０００２】
例えば質量分析装置の中には、標準試料が収容された試料容器が備えられ、この試料容器内から標準試料を送り出して質量分析を行うことにより、装置パラメータをチューニングすることができるようになっているものがある（例えば、下記特許文献１参照）。試料容器としては、例えば上端に開口部を有する試料ビンが用いられ、試料ビンの開口部は蓋部材により覆われている。【０００３】
通常、試料容器は、鉛直方向に真っ直ぐ延びるように設置される。試料容器の下方にはリークトレイが設けられており、試料容器から試料が漏れたときには、その試料がリークトレイにより受けられる。リークトレイにより試料が受けられた場合には、リークトレイに取り付けられたリークセンサにより試料が検知されるようになっている。
【先行技術文献】
【特許文献】
【０００４】
【特許文献１】実用新案登録第３１２１５６８号公報
【発明の概要】
【発明が解決しようとする課題】
【０００５】
質量分析装置の中には、上記のような試料容器が複数設けられているものもある。複数の試料容器を質量分析装置内に設置する場合には、スペースの確保及びメンテナンス性の向上などの観点から、各試料容器を鉛直方向に対して傾斜させた状態で設置することが好ましい場合がある。そこで、例えばフック部材で試料容器を吊り下げることにより、試料容器の重力を利用して、試料容器を傾斜させた状態で保持するような構成を採用することが考えられる。【０００６】
しかしながら、上記のような構成を採用した場合には、フック部材を中心にして試料容器を回転させる方向に外力が加わった場合に、試料容器から蓋部材が外れてしまい、試料容器内の試料が飛び出してしまうおそれがある。このようなフック部材を中心とする試料容器の回転は、試料容器内の試料の飛散に限らず、他の各種問題を引き起こす原因にもなり得る。【０００７】
本発明は、上記実情に鑑みてなされたものであり、フック部材を中心とする試料容器の回転を制限することができる試料容器保持機構を提供することを目的とする。
【課題を解決するための手段】
【０００８】
（１）本発明に係る試料容器保持機構は、試料容器を保持するための試料容器保持機構であって、フック部材と、ストッパ部材とを備える。前記フック部材は、前記試料容器を鉛直方向に対して傾斜させた状態で吊り下げて保持する。前記ストッパ部材は、前記フック部材を中心にして前記試料容器が回転したときに、当該試料容器の回転を制限する。【０００９】
このような構成によれば、フック部材を中心とする試料容器の回転をストッパ部材により制限することができる。これにより、フック部材を中心にして試料容器を回転させる方向に外力が加わった場合に、試料容器から蓋部材が外れたりすることがないため、試料容器内の試料が飛び出してしまうのを防止することができる。【００１０】
（２）前記試料容器から漏れた試料が前記ストッパ部材により受けられてもよい。【００１１】
このような構成によれば、ストッパ部材を利用して、試料容器から漏れた試料を受けることができる。したがって、試料容器から試料が漏れた場合でも、漏れた試料により周囲が汚染されるのを防止することができる。【００１２】
（３）前記ストッパ部材は、互いに上下に並べて２つ配置されていてもよい。この場合、上側の前記ストッパ部材は、当該ストッパ部材に対応する前記試料容器から漏れた試料を受ける第１受け面と、前記第１受け面により受けられた試料を当該第１受け面から離れる方向に導く第１傾斜面と、前記第１傾斜面上を流れる試料を落下させる第１排液口とを有していてもよい。また、下側の前記ストッパ部材は、当該ストッパ部材に対応する前記試料容器から漏れた試料を受ける第２受け面と、前記第１排液口から落下する試料を受けて前記第２受け面側に導く第２傾斜面と、前記第２受け面上及び前記第２傾斜面上を流れる試料を排液する第２排液口とを有していてもよい。【００１３】
このような構成によれば、互いに上下に並べて２つ配置されたストッパ部材により、それぞれのストッパ部材に対応する試料容器の回転を制限することができるとともに、それぞれのストッパ部材に対応する試料容器から漏れた試料を受けることができる。各ストッパ部材で受けられた試料は、いずれも最終的には第２排液口へと導かれて排液されるため、漏れた試料により周囲が汚染されるのを防止することができる。【００１４】
特に、上側のストッパ部材の第１受け面により受けられた試料は、第１傾斜面を通って第１排液口から落下し、下側のストッパ部材の第２傾斜面を介して第２排液口へと導かれる。そのため、上側の試料容器から漏れた試料により下側の試料容器が汚染されるのを効果的に防止することができる。【００１５】
（４）前記ストッパ部材には、前記試料容器に接続される配管を固定するための切欠きが形成されていてもよい。【００１６】
このような構成によれば、試料容器に接続される配管が、ストッパ部材に形成された切欠きに固定されるため、試料容器から漏れた試料が配管を伝って意図しない場所に流れるのを防止することができる。また、ストッパ部材を利用して配管を固定することにより、配管を固定するための部材を別途設ける必要がなく、製造コストを低減することができる。【００１７】
（５）前記ストッパ部材には、前記試料容器に対向する位置に、当該試料容器内を視認するための開口が形成されていてもよい。【００１８】
このような構成によれば、ストッパ部材に形成された開口を介して試料容器内を視認することにより、試料容器内の試料の残量を容易に確認することができる。
【発明の効果】
【００１９】
本発明によれば、フック部材を中心とする試料容器の回転をストッパ部材により制限することができる。
【図面の簡単な説明】
【００２０】
【図１】本発明の一実施形態に係る試料容器保持機構が備えられた液体クロマトグラフ質量分析装置の構成を示した概略図である。
【図２】フック部材について説明するための斜視図である。
【図３】フック部材について説明するための側面図である。
【図４】ストッパ部材について説明するための斜視図であって、試料容器が保持された状態を示している。
【図５】ストッパ部材について説明するための斜視図であって、ストッパ部材の構成のみを示している。
【図６】ストッパ部材について説明するための概略断面図である。
【発明を実施するための形態】
【００２１】
１．液体クロマトグラフ質量分析装置の構成
図１は、本発明の一実施形態に係る試料容器保持機構が備えられた液体クロマトグラフ質量分析装置１の構成を示した概略図である。液体クロマトグラフ質量分析装置１は、試料中の成分を分離する液体クロマトグラフ（ＬＣ）２と、液体クロマトグラフ２により分離された試料成分に対して質量分析を行う質量分析部（ＭＳ）３とを組み合わせた装置である。
【００２２】
図示しないが、液体クロマトグラフ２では、貯留槽に貯留されている移動相が一定流量でカラムに向けて送られる。そして、その移動相に試料（未知試料）が注入され、カラムにおいて、移動相に含まれる試料成分が時間的に分離される。分離された試料成分は、配管４及び流路切替装置５を介して、質量分析部３に導入される。質量分析部３では、導入された試料成分がイオン化され、このイオンが質量電荷比（ｍ／ｚ）に応じて分離される。そして、検出器（図示せず）において、その分離されたイオンが検出されて、質量分析が行われる。
【００２３】
質量分析部３には、液体クロマトグラフ２からの未知試料だけでなく、標準試料を導入することもできる。標準試料は、試料容器６内に収容されている。試料容器６内の上部空間（標準試料の上方の空間）には、ガス供給管７を介して加圧ガスが供給される。これにより、試料容器６内が加圧され、試料容器６内の標準試料が試料供給管８及び流路切替装置５を介して、質量分析部３に導入される。ガス供給管７は、例えばフッ素樹脂により形成されている。一方、試料供給管８は、例えばＰＥＥＫ（ポリエーテルエーテルケトン）により形成されている。
【００２４】
流路切替装置５は、質量分析部３に連通させる流路を切り替えるための装置である。この流路切替装置５を用いて流路を切り替えることにより、試料容器６から質量分析部３に標準試料を導入する状態（図１に実線で示す状態）、又は、液体クロマトグラフ２から質量分析部３に未知試料を導入する状態（図１に破線で示す状態）のいずれかに切り替えることができる。
【００２５】
２．試料容器保持機構の構成
（１）フック部材の周辺の構成
図２は、フック部材９について説明するための斜視図である。図３は、フック部材９について説明するための側面図である。フック部材９は、試料容器６を保持するための試料容器保持機構に含まれている。
【００２６】
試料容器６は、容器本体６１及び蓋部材６２を備えている。容器本体６１は、その上面に開口（上面開口）を有する中空状の部材であり、上面開口から容器本体６１内に標準試料が供給される。容器本体６１の上面開口は、例えば樹脂製の蓋部材６２により閉塞される。蓋部材６２は、容器本体６１に対してねじ込み式又は嵌め込み式で着脱可能となっている。
【００２７】
蓋部材６２の上面には、ガス供給管７が接続されるガス用接続部７１、及び、試料供給管８が接続される試料用接続部８１が設けられている。また、蓋部材６２の上面には、フック部材９に対して着脱可能な係止部６３が設けられている。係止部６３は、金属製の板状部材からなり、その一部に形成された開口部６３１にフック部材９が挿入される。開口部６３１は、容器本体６１の中心軸線に対して偏心した位置に形成されている。
【００２８】
フック部材９は、屈曲又は湾曲した形状からなる金属製の板状部材であり、その先端部が斜め上方に向かって延びている。試料容器６は、フック部材９が係止部６３の開口部６３１に挿入されることにより、フック部材９に吊り下げられた状態で保持される。この状態では、試料容器６の重力により、試料容器６が鉛直方向に対して傾斜した状態で保持される。具体的には、フック部材９から前方に離れるほど容器本体６１の上面開口の位置が低くなるように、試料容器６が傾斜した状態となる。
【００２９】
ガス用接続部７１及び試料用接続部８１は、係止部６３の開口部６３１に対して、前方に向かって一直線上に並べて配置されている。試料用接続部８１は、ガス用接続部７１よりも開口部６３１から離れた位置に設けられることにより、ガス用接続部７１よりも低い位置に配置される。したがって、仮に試料用接続部８１に対する試料供給管８の接続に不具合があり、試料用接続部８１から外部に標準試料が漏れた場合には、蓋部材６２の前方側から標準試料が下方に落下することとなる。
【００３０】
フック部材９は、前後方向に対して直交する水平方向である横方向（図２参照）に沿って、スライド可能に保持されている。また、フック部材９の近傍には、フック部材９から係止部６３が外れないようにロックするためのロック機構９１が設けられている。この例では、ロック機構９１は、水平方向に延びるように固定された板状部材により構成されている。
【００３１】
フック部材９は、横方向にスライドされることにより、ロック機構９１から離間したロック解除位置（図２参照）と、ロック機構９１に近接したロック位置（図３参照）との間で移動可能となっている。図２に示すロック解除位置では、フック部材９の先端部がロック機構９１に対向していないため、フック部材９に対して係止部６３を自由に着脱することができる。一方、図３に示すロック位置では、フック部材９の先端部がロック機構９１に対向するため、フック部材９から係止部６３を取り外すことができないロック状態となる。
【００３２】
（２）ストッパ部材の構成
図４は、ストッパ部材１０について説明するための斜視図であって、試料容器６が保持された状態を示している。図５は、ストッパ部材１０について説明するための斜視図であって、ストッパ部材１０の構成のみを示している。図６は、ストッパ部材１０について説明するための概略断面図である。ストッパ部材１０は、フック部材９とともに、試料容器６を保持するための試料容器保持機構に含まれている。
【００３３】
本実施形態では、互いに上下に並べて配置された２つのストッパ部材１０（第１ストッパ部材１１及び第２ストッパ部材１２）が設けられている。各ストッパ部材１１，１２は、フック部材９を中心にして試料容器６が回転したときに、試料容器６に接触して、その試料容器６の回転を制限するためのものである。
【００３４】
上側のストッパ部材１０（第１ストッパ部材１１）は、上段に設置される２つの試料容器６に対向するように配置されている。これらの２つの試料容器６は、例えば同一形状からなり、それぞれ別のフック部材９により吊り下げられた状態で保持される。
【００３５】
下側のストッパ部材１０（第２ストッパ部材１２）は、下段に設置される２つの試料容器６に対向するように配置されている。これらの２つの試料容器６は、例えば異なる形状からなり、それぞれ別のフック部材９により吊り下げられた状態で保持される。
【００３６】
第１ストッパ部材１１は、金属製の板状部材を屈曲又は湾曲することにより形成されている。第１ストッパ部材１１は、底面部１１１、前面部１１２及び背面部１１３などを有している。これらの底面部１１１、前面部１１２及び背面部１１３は、互いに連続するように一体的に形成されている。
【００３７】
底面部１１１は、後側に向かって徐々に低くなるように、水平方向に対して若干傾斜している。前面部１１２は、底面部１１１の前端辺から斜め上方に延びており、その先端が試料容器６よりも前方に位置している。背面部１１３は、底面部１１１の後端辺から鉛直上方に延びている。
【００３８】
背面部１１３には、前方に向かって突出する複数のスペーサ１１４が取り付けられている（図６参照）。各スペーサ１１４の先端は、フック部材９に吊り下げられた試料容器６の容器本体６１に後方から接触している。これにより、試料容器６の下部が、試料容器６の重力に抗して前方に押し出され、試料容器６が一定の傾斜角度で保持される。
【００３９】
上記のような第１ストッパ部材１１によれば、試料容器６の試料用接続部８１などから標準試料が漏れた場合に、その漏れた標準試料を第１ストッパ部材１１の前面部１１２で受けることができる。すなわち、第１ストッパ部材１１の前面部１１２の上面（試料容器６側の面）は、第１ストッパ部材１１に対応する試料容器６から漏れた標準試料を受ける第１受け面１１２Ａを構成している。
【００４０】
第１受け面１１２Ａにより受けられた標準試料は、第１受け面１１２Ａに沿って後方へと流れ、底面部１１１の上面に沿って、さらに後方へと流れる。底面部１１１の上面は、第１受け面１１２Ａにより受けられた標準試料を第１受け面１１２Ａから離れる方向に導く第１傾斜面１１１Ａを構成している。
【００４１】
底面部１１１における後端側には、横方向に延びるスリット状の第１排液口１１１Ｂが形成されている。第１排液口１１１Ｂは、底面部１１１における横方向の一端から他端まで延びるように形成されている。第１傾斜面１１１Ａ上を後方へと流れる標準試料は、第１排液口１１１Ｂから下方に落下する。
【００４２】
第２ストッパ部材１２は、金属製の板状部材を屈曲又は湾曲することにより形成されている。第２ストッパ部材１２は、底面部１２１、前面部１２２及び背面部１２３などを有している。これらの底面部１２１、前面部１２２及び背面部１２３は、互いに連続するように一体的に形成されている。
【００４３】
底面部１２１は、前側に向かって徐々に低くなるように、水平方向に対して若干傾斜している。前面部１２２は、底面部１２１の前端辺から斜め上方に延びている。背面部１２３は、底面部１２１の後端辺から鉛直上方に延びている。背面部１２３には、第１ストッパ部材１１と同様に、試料容器６を前方に押し出すためのスペーサ（図示せず）が取り付けられている。なお、本実施形態では、前面部１２２の一部が前方に向かって斜めに折り曲げられることにより、比較的大きな試料容器６を受け入れるための折曲片１２２Ｃが構成されている。
【００４４】
第２ストッパ部材１２の前面部１２２の上面（試料容器６側の面）は、第２ストッパ部材１１に対応する試料容器６（図６では図示せず）から漏れた標準試料を受ける第２受け面１２２Ａを構成している。第２受け面１２２Ａにより受けられた標準試料は、第２受け面１２２Ａ上を後方へと流れ、底面部１２１と前面部１２２の結合部に形成された第２排液口１２２Ｂから下方に排液される。
【００４５】
また、第１ストッパ部材１１の第１排液口１１１Ｂから落下した標準試料は、第２ストッパ部材１２の底面部１２１の上面により受けられ、当該上面に沿って前方へと流れる。底面部１２１の上面は、第１排液口１１１Ｂから落下する標準試料を受けて第２受け面１２２Ａ側に導く第２傾斜面１２１Ａを構成している。第２傾斜面１２１Ａ上を前方へと流れる標準試料は、第２排液口１２２Ｂから下方に排液される。
【００４６】
第２排液口１２２Ｂの下方には、リークトレイ１３が設けられている（図４参照）。したがって、第１ストッパ部材１１の第１受け面１１２Ａや第２ストッパ部材１２の第２受け面１２２Ａで受けられた標準試料は、第２排液口１２２Ｂを介して全てリークトレイ１３に排液される。なお、本実施形態では、折曲片１２２Ｃに対向する比較的大きな試料容器６から漏れた標準試料は、リークトレイ１３上に直接落下するようになっている。
【００４７】
第１ストッパ部材１１の前面部１１２には、切欠き１１５が形成されている。切欠き１１５は、前面部１１２の端縁に形成された窪みであり、例えば端縁からＬ字状又はＪ字状に延びている。切欠き１１５は、試料容器６に接続される配管を固定するための固定部を構成している。すなわち、試料容器６に接続されるガス供給管７又は試料供給管８などの配管は、切欠き１１５内を通るように引っ掛けられることにより、第１ストッパ部材１１に近接した状態で固定される。
【００４８】
この例では、前面部１１２に２つの切欠き１１５が形成されているが、切欠き１１５は、１つであってもよいし、３つ以上であってもよい。また、前面部１１２に限らず、第１ストッパ部材１１の他の位置に切欠き１１５が形成されていてもよい。切欠き１１５は、第１ストッパ部材１１に限らず、第２ストッパ部材１２に形成されていてもよい。
【００４９】
また、第１ストッパ部材１１の前面部１１２には、開口１１６が形成されている。開口１１６は、試料容器６に対向する位置に形成されている。したがって、第１ストッパ部材１１の前方側から開口１１６を介して、第１ストッパ部材１１の後方に位置する試料容器６内を視認することができる。
【００５０】
この例では、前面部１１２に１つの開口１１６が形成されているが、開口１１６は、２つ以上であってもよい。また、前面部１１２に限らず、第１ストッパ部材１１の他の位置に開口１１６が形成されていてもよい。開口１１６は、第１ストッパ部材１１に限らず、第２ストッパ部材１２に形成されていてもよい。
【００５１】
３．作用効果
（１）本実施形態では、フック部材９を中心とする試料容器６の回転をストッパ部材１０（第１ストッパ部材１１及び第２ストッパ部材１２）により制限することができる。これにより、フック部材９を中心にして試料容器６を回転させる方向に外力が加わった場合に、試料容器６から蓋部材６２が外れたりすることがないため、試料容器６内の標準試料が飛び出してしまうのを防止することができる。
【００５２】
（２）また、本実施形態では、ストッパ部材１０（第１受け面１１２Ａ及び第２受け面１２２Ａ）を利用して、試料容器６から漏れた標準試料を受けることができる。したがって、試料容器６から標準試料が漏れた場合でも、漏れた標準試料により周囲が汚染されるのを防止することができる。
【００５３】
（３）本実施形態では、互いに上下に並べて２つ配置されたストッパ部材１０（第１ストッパ部材１１及び第２ストッパ部材１２）により、それぞれのストッパ部材１０に対応する試料容器６の回転を制限することができるとともに、それぞれのストッパ部材１０に対応する試料容器６から漏れた標準試料を受けることができる。各ストッパ部材１０で受けられた標準試料は、いずれも最終的には第２排液口１２２Ｂへと導かれて排液されるため、漏れた標準試料により周囲が汚染されるのを防止することができる。
【００５４】
特に、上側のストッパ部材１０（第１ストッパ部材１１）の第１受け面１１２Ａにより受けられた標準試料は、第１傾斜面１１１Ａを通って第１排液口１１１Ｂから落下し、下側のストッパ部材１０（第２ストッパ部材１２）の第２傾斜面１２１Ａを介して第２排液口１２２Ｂへと導かれる。そのため、上側の試料容器６から漏れた標準試料により下側の試料容器６が汚染されるのを効果的に防止することができる。
【００５５】
（４）本実施形態では、試料容器６に接続される配管（ガス供給管７又は試料供給管８など）が、ストッパ部材１０に形成された切欠き１１５に固定されるため、試料容器６から漏れた標準試料が配管を伝って意図しない場所に流れるのを防止することができる。また、ストッパ部材１０を利用して配管を固定することにより、配管を固定するための部材を別途設ける必要がなく、製造コストを低減することができる。
【００５６】
（５）また、本実施形態では、ストッパ部材１０に形成された開口１１６を介して試料容器６内を視認することにより、試料容器６内の標準試料の残量を容易に確認することができる。
【００５７】
４．変形例
試料容器６は、標準試料を収容する容器に限らず、未知試料などの他の任意の試料を収容する容器であってもよい。
【００５８】
ストッパ部材１０は、第１ストッパ部材１１及び第２ストッパ部材１２の２つが設けられた構成に限らず、１つ又は３つ以上のストッパ部材１０が設けられた構成であってもよい。また、ストッパ部材１０の形状は、上記実施形態のような形状に限られるものではなく、試料容器６の回転を制限することができるような形状であれば、他の任意の形状を採用することができる。
【符号の説明】
【００５９】
６        試料容器
７        ガス供給管
８        試料供給管
９        フック部材
１０      ストッパ部材
１１      第１ストッパ部材
１２      第２ストッパ部材
６１      容器本体
６２      蓋部材
６３      係止部
７１      ガス用接続部
８１      試料用接続部
１１１    底面部
１１１Ａ  第１傾斜面
１１１Ｂ  第１排液口
１１２    前面部
１１２Ａ  第１受け面
１１３    背面部
１１４    スペーサ
１１５    切欠き
１１６    開口
１２１    底面部
１２１Ａ  第２傾斜面
１２２    前面部
１２２Ａ  第２受け面
１２２Ｂ  第２排液口
１２３    背面部
【図１】
2019215912.tif 000003
【図２】
2019215912.tif 000004
【図３】
2019215912.tif 000005
【図４】
2019215912.tif 000006
【図５】
2019215912.tif 000007
【図６】
2019215912.tif 000008
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
試料容器を保持するための試料容器保持機構であって、
前記試料容器を鉛直方向に対して傾斜させた状態で吊り下げて保持するフック部材と、
前記フック部材を中心にして前記試料容器が回転したときに、当該試料容器に接触して、当該試料容器の回転を制限するストッパ部材とを備えることを特徴とする試料容器保持機構。
【請求項２】
前記試料容器から漏れた試料が前記ストッパ部材により受けられることを特徴とする請求項１に記載の試料容器保持機構。
【請求項３】
前記ストッパ部材は、互いに上下に並べて２つ配置されており、
上側の前記ストッパ部材は、当該ストッパ部材に対応する前記試料容器から漏れた試料を受ける第１受け面と、前記第１受け面により受けられた試料を当該第１受け面から離れる方向に導く第１傾斜面と、前記第１傾斜面上を流れる試料を落下させる第１排液口とを有し、
下側の前記ストッパ部材は、当該ストッパ部材に対応する前記試料容器から漏れた試料を受ける第２受け面と、前記第１排液口から落下する試料を受けて前記第２受け面側に導く第２傾斜面と、前記第２受け面上及び前記第２傾斜面上を流れる試料を排液する第２排液口とを有することを特徴とする請求項２に記載の試料容器保持機構。
【請求項４】
前記ストッパ部材には、前記試料容器に接続される配管を固定するための切欠きが形成されていることを特徴とする請求項１に記載の試料容器保持機構。
【請求項５】
前記ストッパ部材には、前記試料容器に対向する位置に、当該試料容器内を視認するための開口が形成されていることを特徴とする請求項１に記載の試料容器保持機構。
【国際調査報告】
2019215912.tif 000009
2019215912.tif 000010
2019215912.tif 000011
2019215912.tif 000012